(57)【要約】【課題】ピンオンリールを使用しない場合に、ピンオンリールのリールに取り付けられた用具が邪魔となることがない釣り用具を提供する。【解決手段】リールを収納するケースを収納する袋状部６２には、係止補強ベルト８０が固着され、係止補強ベルト８０に設けられた開口部８３と袋状部６２に開口部８３に対応して設けられた開口部を介して、ケースに取り付けられた係止部材２０が露出して形成されている。係止補強ベルト８０における帯状部８２の一方の面に、フックテープとループテープの一方Ｆ１が設けられ、また、帯状部８４の他方の面に、他方Ｆ２が設けられている。リールには、接続部材を介してタモの柄に装着するための巻回ベルトが装着され、接続部材や巻回ベルトは、袋状部６２に収納される。【選択図】図５
0003159174.tif 000002
【実用新案登録請求の範囲】
【請求項１】
釣り用具であって、
正面部と、正面部に対して間隔を介して形成された背面部と、正面部の下辺と背面部の下辺との間に形成された底面部と、底面部の左側面側の辺部から右側面側の辺部にまで正面部と背面部の下辺を除く辺部に沿って形成された周面部とを有し、周面部に開閉可能な取出し口を有する袋状部と、
袋状部の背面部に固着され、上下方向に伸びた帯状のベルト状部材で、袋状部との固着部分の上端から伸びた上側部と該固着部分の下端から伸びた下側部とを有し、該上側部と下側部とに上側部と下側部とを着脱自在に固着するための着脱部材が設けられたベルト状部材と、
を有することを特徴とする釣り用具。
【請求項２】
袋状部の背面部には、第１開口部が設けられ、ベルト状部材には、該第１開口部に対応した位置に設けられた第２開口部が設けられていることを特徴とする請求項１に記載の釣り用具。
【請求項３】
釣り用具が、さらに、
リールと、リールを巻回して収納しリールを引き出すための穴部を有するケースと、該ケースの側面に取り付けられ該ケースとの間でベルト等の帯状の被挟設部材を挟設する係止部材と、を有するピンオンリールと、
ピンオンリールのリールの先端に取り付けられた被取付け具と、を有し、
該ピンオンリールのケースが、袋状部に収納されるとともに、該被取付け具が袋状部に収納可能であり、
該係止部材の少なくとも一部が、第１開口部と第２開口部を介して外部に露出し、
係止部材を帯状の被挟設部材に係止した後に、ベルト状部材の上側部と下側部とを着脱部材により固着することにより帯状の被挟設部材に取り付けることを特徴とする請求項２に記載の釣り用具。
【請求項４】
上記被取付け具が、リールの先端に取り付けられた接続部材と、接続部材に取り付けられた帯状の巻回ベルトで、接続部材に接続された基端側と基端側と反対側の先端側とにタモ等の柄に巻回して装着するための第２着脱部材が設けられた巻回ベルトと、を有することを特徴とする請求項３に記載の釣り用具。
【請求項５】
ケースに取り付けられた係止部材が、ケースにおける係止部材が取り付けられた側面とは反対側に伸びる前後方向部と、該前後方向部から上方に伸びる上下方向部とを有し、係止部材が被挟設部材に対して下側から係止するように構成されていることを特徴とする請求項３又は４に記載の釣り用具。
【請求項６】
釣り用具であって、
リールと、リールを巻回して収納しリールを引き出すための穴部を有するケースと、該ケースの側面に取り付けられ該ケースとの間でベルト等の帯状の被挟設部材を挟設する係止部材で、ケースにおける係止部材が取り付けられた側面とは反対側に伸びる前後方向部と、該前後方向部から上方に伸びる上下方向部とを有し、係止部材が被挟設部材に対して下側から係止するように構成された係止部材と、を有するピンオンリールと、
ピンオンリールのリールの先端に取り付けられた接続部材と、
接続部材に取り付けられた帯状の巻回ベルトで、接続部材に接続された基端側と基端側と反対側の先端側とにタモ等の柄に巻回して装着するための第２着脱部材が設けられた巻回ベルトと、
ピンオンリールのケースを収納するとともに、該取付け具が収納可能な袋状部で、被取付け具を取り出すための開閉可能な取出し口を有するとともに、係止部材を少なくとも一部を露出させるための第１開口部を側面に有する袋状部と、
袋状部の第１開口部が形成された側に固着された帯状のベルト状部材で、係止部材に係止される帯状の被挟設部材に対して略直角方向となるように袋状部に固着して設けられ、袋状部との固着部分の上端から伸びた上側部と該固着部分の下端から伸びた下側部とを有し、該上側部と下側部とに上側部と下側部とを着脱自在に固着するための着脱部材が設けられ、係止部材を少なくとも一部を露出させるための第２開口部で第１開口部に対応した位置に設けられた第２開口部を有するベルト状部材と、
を有し、
係止部材を帯状の被挟設部材に係止した後に、ベルト状部材の上側部と下側部とを着脱部材により固着することにより帯状の被挟設部材に取り付けることを特徴とする釣り用具。
【請求項７】
リールは、巻取り方向に付勢してケースに収納されたリール本体と、リール本体の先端に取り付けられ巻取方向に付勢されたリール本体をケースの穴部の位置で停止させるためのストッパとを有し、接続部材は、該ストッパに取り付けられたリング状の部材と、該リング状の部材に取り付けられたナス環でナス環の基端に設けられた取付部に該リング状の部材が取り付けられたナス環と、ナス環における開閉可能な開閉部に接続されたＤ環とを有し、巻回ベルトは、該Ｄ環に取り付けられていることを特徴とする請求項３又は４又は５又は６に記載の釣り用具。
【請求項８】
袋状部の取出し口には、ファスナが設けられ、該ファスナにより取出し口が開閉可能となっていることを特徴とする請求項１又は２又は３又は４又は５又は６又は７に記載の釣り用具。
【考案の詳細な説明】
【技術分野】
【０００１】
本考案は、魚釣り用具（特に、釣り用付属具）に関するものであり、特に、ピンオンリールをベルトへ装着する構成に関するものである。
【背景技術】
【０００２】
従来より、ピンオンリールとしては、図１１に示すものがあり、図１１に示すピンオンリール２００は、ピンオンリール本体２０２と、ピンオンリール本体２０２内に巻回状態で収納されるリールとを有し、ピンオンリン−ル本体２０２は、該リールを巻き取るドラムと、該リールを巻き取る方向にドラムを付勢するバネと、該ドラムとバネを収納するケース２０４とを有していて、ケース２０４の背面には、係止部材２０６が設けられ、この係止部材２０６を衣類のベルト等に係止することにより装着するように構成されている。また、リールの先端には、ストッパ２１０が取り付けられている。また、ストッパ２１０には、二重リング２１２を介して取付け具２１４が設けられている。
【０００３】
また、出願人は、先行技術文献として、特許文献１〜特許文献３に示す文献を知得している。
【先行技術文献】
【特許文献】
【０００４】
【特許文献１】特開２００４−８１３４号公報
【特許文献２】特開２００３−１０２３５３号公報
【特許文献３】特開２００１−２９２６７３号公報
【考案の概要】
【考案が解決しようとする課題】
【０００５】
しかし、図１１に示すピンオンリールにおいては、取付け具２１４に各種用具を取り付けて使用するが、ピンオンリールを使用しない場合に、つまり、該用具を使用しない場合には、該用具がピンオンリールからぶら下がった状態となり、邪魔になるという問題がある。この点は、特許文献１〜３においても同様である。
【０００６】
そこで、本考案が解決しようとする問題点は、ピンオンリールを使用しない場合に、ピンオンリールのリールに取り付けられた用具が邪魔となることがない釣り用具を提供することである。
【課題を解決するための手段】
【０００７】
本考案は上記問題点を解決するために創作されたものであって、第１には、釣り用具であって、正面部と、正面部に対して間隔を介して形成された背面部と、正面部の下辺と背面部の下辺との間に形成された底面部と、底面部の左側面側の辺部から右側面側の辺部にまで正面部と背面部の下辺を除く辺部に沿って形成された周面部とを有し、周面部に開閉可能な取出し口を有する袋状部と、袋状部の背面部に固着され、上下方向に伸びた帯状のベルト状部材で、袋状部との固着部分の上端から伸びた上側部と該固着部分の下端から伸びた下側部とを有し、該上側部と下側部とに上側部と下側部とを着脱自在に固着するための着脱部材が設けられたベルト状部材と、を有することを特徴とする。
【０００８】
この第１の構成の釣り用具においては、ピンオンリールを袋状部に収納し、ピンオンリールを収納した釣り用具をベルト等の帯状の被挟設部材に装着する。ピンオンリールを収納した釣り用具をベルト等の帯状の被挟設部材に装着するには、ベルト状部材を被挟設部材に巻き付けて上側部と下側部とを着脱部材により固着することにより、釣り用具を帯状の被挟設部材に取り付ける。ピンオンリールを使用する場合には、取出し口を開状態としてリールを引き出して使用する。また、ピンオンリールを使用しない場合に、ピンオンリールをリールの先端に取り付けられた被取付け具とともに袋状部内に収納する。
【０００９】
よって、袋状部に収納されるピンオンリールを使用しない場合に、リールの先端に取り付けられた被取付け具がぶら下がった状態で邪魔になることがない。
【００１０】
また、第２には、上記第１の構成において、袋状部の背面部には、第１開口部が設けられ、ベルト状部材には、該第１開口部に対応した位置に設けられた第２開口部が設けられていることを特徴とする。
【００１１】
この第２の構成の釣り用具においては、リールと、リールを巻回して収納しリールを引き出すための穴部を有するケースと、該ケースの側面に取り付けられ該ケースとの間でベルト等の帯状の被挟設部材を挟設する係止部材と、を有するピンオンリールにおけるピンオンリールのケースを袋状部に収納し、係止部材を第１開口部及び第２開口部から外部に露出させた状態で使用し、釣り用具をベルト等の帯状の被挟設部材に装着するには、係止部材を帯状の被挟設部材に係止した後に、ベルト状部材の上側部と下側部とを着脱部材により固着することにより、釣り用具を帯状の被挟設部材に取り付ける。
【００１２】
よって、係止部材をベルト等の帯状の被挟設部材に係止して、さらに、ベルト状部材により帯状の被挟設部材に巻き付けて装着するので、釣り用具が帯状の被挟設部材から外れることがなく、水中においても容易に装着状態が外れることがない。
【００１３】
また、第３には、上記第１又は第２の構成において、釣り用具が、さらに、リールと、リールを巻回して収納しリールを引き出すための穴部を有するケースと、該ケースの側面に取り付けられ該ケースとの間でベルト等の帯状の被挟設部材を挟設する係止部材と、を有するピンオンリールと、ピンオンリールのリールの先端に取り付けられた被取付け具と、を有し、該ピンオンリールのケースが、袋状部に収納されるとともに、該被取付け具が袋状部に収納可能であり、該係止部材の少なくとも一部が、第１開口部と第２開口部を介して外部に露出し、係止部材を帯状の被挟設部材に係止した後に、ベルト状部材の上側部と下側部とを着脱部材により固着することにより帯状の被挟設部材に取り付けることを特徴とする。
【００１４】
よって、被取付け具を使用しない場合には、被取付け具を袋状部に収納して取出し口を閉状態とし、被取付け具を使用する場合には、取出し口を開けて、被取付け具を引き出して使用することができる。
【００１５】
また、第４には、上記第３の構成において、上記被取付け具が、リールの先端に取り付けられた接続部材と、接続部材に取り付けられた帯状の巻回ベルトで、接続部材に接続された基端側と基端側と反対側の先端側とにタモ等の柄に巻回して装着するための第２着脱部材が設けられた巻回ベルトと、を有することを特徴とする。この巻回ベルトをタモの柄に装着することにより、釣り用具をタモの流出防止具として使用することができる。
【００１６】
また、第５には、上記第３又は第４の構成において、ケースに取り付けられた係止部材が、ケースにおける係止部材が取り付けられた側面とは反対側に伸びる前後方向部と、該前後方向部から上方に伸びる上下方向部とを有し、係止部材が被挟設部材に対して下側から係止するように構成されていることを特徴とする。これにより、係止部材を被挟設部材の下方から係止して使用する。
【００１７】
また、第６には、釣り用具であって、リールと、リールを巻回して収納しリールを引き出すための穴部を有するケースと、該ケースの側面に取り付けられ該ケースとの間でベルト等の帯状の被挟設部材を挟設する係止部材で、ケースにおける係止部材が取り付けられた側面とは反対側に伸びる前後方向部と、該前後方向部から上方に伸びる上下方向部とを有し、係止部材が被挟設部材に対して下側から係止するように構成された係止部材と、を有するピンオンリールと、ピンオンリールのリールの先端に取り付けられた接続部材と、接続部材に取り付けられた帯状の巻回ベルトで、接続部材に接続された基端側と基端側と反対側の先端側とにタモ等の柄に巻回して装着するための第２着脱部材が設けられた巻回ベルトと、ピンオンリールのケースを収納するとともに、該取付け具が収納可能な袋状部で、被取付け具を取り出すための開閉可能な取出し口を有するとともに、係止部材を少なくとも一部を露出させるための第１開口部を側面に有する袋状部と、袋状部の第１開口部が形成された側に固着された帯状のベルト状部材で、係止部材に係止される帯状の被挟設部材に対して略直角方向となるように袋状部に固着して設けられ、袋状部との固着部分の上端から伸びた上側部と該固着部分の下端から伸びた下側部とを有し、該上側部と下側部とに上側部と下側部とを着脱自在に固着するための着脱部材が設けられ、係止部材を少なくとも一部を露出させるための第２開口部で第１開口部に対応した位置に設けられた第２開口部を有するベルト状部材と、を有し、係止部材を帯状の被挟設部材に係止した後に、ベルト状部材の上側部と下側部とを着脱部材により固着することにより帯状の被挟設部材に取り付けることを特徴とする。
【００１８】
この第６の構成の釣り用具においては、釣り用具をベルト等の帯状の被挟設部材に装着するには、係止部材を帯状の被挟設部材に下方から係止した後に、ベルト状部材の上側部と下側部とを着脱部材により固着することにより、釣り用具を帯状の被挟設部材に取り付ける。
【００１９】
巻回ベルトを使用しない場合には、巻回ベルトや接続部材を袋状部に収納して取出し口を閉状態とし、巻回ベルトを使用する場合には、取出し口を開けて、巻回ベルトを引き出して使用する。例えば、この巻回ベルトをタモの柄に装着することにより、釣り用具をタモの流出防止具として使用することができる。
【００２０】
本考案の釣り用具においては、袋状部に収納されたピンオンリールを使用しない場合には、巻回ベルトや接続部材を袋状部内に収納できるので、ピンオンリールを使用しない場合に、巻回ベルトや接続部材が邪魔になることがない。また、係止部材をベルト等の帯状の被挟設部材に係止して、さらに、ベルト状部材により帯状の被挟設部材に巻き付けて装着するので、釣り用具が帯状の被挟設部材から外れることがなく、水中においても容易に装着状態が外れることがない。
【００２１】
また、第７には、前記第３から第６までのいずれかの構成において、リールは、巻取り方向に付勢してケースに収納されたリール本体と、リール本体の先端に取り付けられ巻取方向に付勢されたリール本体をケースの穴部の位置で停止させるためのストッパとを有し、接続部材は、該ストッパに取り付けられたリング状の部材と、該リング状の部材に取り付けられたナス環でナス環の基端に設けられた取付部に該リング状の部材が取り付けられたナス環と、ナス環における開閉可能な開閉部に接続されたＤ環とを有し、巻回ベルトは、該Ｄ環に取り付けられていることを特徴とする。
【００２２】
また、第８には、前記第１から第７までのいずれかの構成において、袋状部の取出し口には、ファスナが設けられ、該ファスナにより取出し口が開閉可能となっていることを特徴とする。
【考案の効果】
【００２３】
本考案に基づく釣り用具においては、袋状部に収納されるピンオンリールを使用しない場合には、ピンオンリールをリールの先端に取り付けられた被取付け具とともに袋状部内に収納できるので、袋状部に収納されるピンオンリールを使用しない場合に、被取付け具がぶら下がった状態で邪魔になることがない。
【図面の簡単な説明】
【００２４】
【図１】タモ流出防止具の構成を示す前方斜視図である。
【図２】タモ流出防止具の構成を示す後方斜視図である。
【図３】タモ流出防止具における巻回ベルトや接続部材を収納した状態を示す前方斜視図である。
【図４】タモ流出防止具における巻回ベルトの上側を上方に伸ばした状態を示す背面図である。
【図５】タモ流出防止具における巻回ベルトの上側を上方に伸ばし下側を下方に伸ばした状態を示す背面図である。
【図６】タモ流出防止具におけるピンオンリール収納部を除いた状態を示す前方斜視図である。
【図７】タモ流出防止具におけるピンオンリール収納部を除いた状態を示す後方斜視図である。
【図８】巻回ベルトの構成を示す平面図である。
【図９】タモ流出防止具の使用状態を示す背面図である。
【図１０】タモ流出防止具の使用状態を示す説明図である。
【図１１】従来のピンオンリールを示す斜視図である。
【考案を実施するための形態】
【００２５】
本考案においては、ピンオンリールのベルト等の衣類への装着が容易で、水中においても容易に装着状態が外れることがなく、また、ピンオンリールのリールに取り付けられた用具を使用しない場合に、該用具が邪魔となることがない釣り用具を提供するという目的を以下のようにして実現した。
【００２６】
本考案に基づく釣り用具としてのタモ流出防止具５は、図１〜図８に示すように構成され、ピンオンリール１０と、接続部材４０と、巻回ベルト５０と、ピンオンリール収納部６０とを有している。
【００２７】
ピンオンリール１０は、図６、図７に示すように、ピンオンリール本体１２と、リール３０とを有している。
【００２８】
ピンオンリール本体１２は、ケース１４と、ケース１４に取り付けられた係止部材２０と、ケース１４内に設けられリール本体３２（後述）を巻回するドラム（図示せず）と、該ドラムをリール３０を巻き取る方向に付勢するバネ（図示せず）とを有している。
【００２９】
ここで、ケース１４は、ケース本体１６と、ケース本体１６の背面に突出して形成された一対の突設部１８ａ、１８ｂとを有している。ケース本体１６は、一対の略円柱状の外形を呈し、内部に該ドラムやバネを収納する空間が形成され、上端にリール本体３２を引き出すための略円形の穴部が形成されている。また、突設部１８ａ、１８ｂは、ともに、背面側に突出し板状を呈して上下方向に形成され、突設部１８ａと突設部１８ｂとは、横方向に間隔を介して設けられている。
【００３０】
また、係止部材２０は、一対の突設部１８ａ、１８ｂに取り付けられ、１本の線材部を屈曲させることにより形成され、この係止部材２０とケース本体１６の背面間にベルト等の被挟設部材を挟むことができるように構成されている。ここで、係止部材２０は、突設部１８ａ、１８ｂに設けられた穴部に軸支された一対の左右方向部２０ａと、左右方向部２０ａの外側の端部から下方に連設された一対の上下方向部２０ｂと、上下方向部２０ｂの下端から背面側に連設された一対の前後方向部２０ｃと、前後方向部２０ｃの背面側の端部から上方に連設された一対の上下方向部２０ｄと、一対の上下方向部２０ｄの上端の間をつなぐ左右方向部２０ｅとを有している。なお、この係止部材２０は、突設部１８ａ、１８ｂに対して、左右方向部２０ａを中心として回転する。
【００３１】
また、リール３０は、リール本体３２と、リール本体３２の先端に取り付けられたストッパ３４とを有している。リール本体３２は、ケース本体１６内に設けられたドラムに巻回され、ストッパ３４を引くことによりリール本体３２がケース本体１６から引き出される。ストッパ３４は、巻取方向に付勢されたリール本体３２をケース１４の穴部の位置で停止させるための部材であり、円筒状を呈し、ケース本体１６の上端に設けられリール本体３２を引き出すための穴部内に入らないように、円筒状の直径は該穴部の直径よりも大きく形成されている。なお、リール本体３２は、巻き取る方向に付勢されている。
【００３２】
接続部材４０は、リール３０のストッパ３４と巻回ベルト５０間を接続する部材であり、ストッパ３４に設けられた穴部に取り付けられたリング状部４２と、該リング状部４２に取り付けられたナス環４４と、ナス環４４に取り付けられたＤ環４６とを有している。リング状部４２は、線材を巻回して形成して構成される。また、ナス環４４は、レバーにより開閉する開閉部４４ａが先端に設けられ、リング状の部材４４ｂが基端に設けられていて、該リング状の部材４４ｂにリング状部４２が取り付けられ、また、開閉部４４ａがＤ環４６に係止されている。Ｄ環４６は、Ｄ字状のループ状の部材である。
【００３３】
また、巻回ベルト５０は、いわゆる尻手ベルトであり、図８に示すように、全体に帯状を呈し、布や革等の柔軟性のある部材により形成され、その基端側（Ｄ環４６側）の領域５０ａの一方の面（表側の面）には、フックテープとループテープの一方が設けられ、先端側の領域５０ｂの他方の面（裏側の面）には、フックテープとループテープの他方が設けられていて、巻回ベルト５０の先端を基端側の領域５０ａの裏面側からＤ環４６に挿通し、巻回ベルト５０の先端を巻回ベルト５０の基端側の領域５０ａの表側の面に導くことにより、フックテープとループテープにより巻回ベルト５０の先端側と基端側を止着することができ、タモの柄に巻回ベルト５０を巻回して巻回ベルト５０の先端側と基端側を止着することによりタモの柄に巻回ベルト５０を装着することができる。
【００３４】
なお、ピンオンリール１０は、袋状部６２内に収納されており（ただし、係止部材２０における少なくとも前後方向部２０ｃと上下方向部２０ｄと左右方向部２０ｅは、袋状部６２から外部に露出している）、接続部材４０と巻回ベルト５０とは、タモ流出防止具５を使用しない場合には、袋状部６２に収納され、タモ流出防止具５を使用する場合には、袋状部６２から外部に引き出される。
【００３５】
なお、接続部材４０と巻回ベルト５０とは、「ピンオンリールのリールの先端に取り付けられた被取付け具」に当たる。
【００３６】
ピンオンリール収納部（釣り用具）６０は、全体に袋状（具体的には、ポーチの形状）を呈する袋状部６２と、袋状部６２の背面に固着された係止補強ベルト（ベルト状部材）８０とを有している。
【００３７】
袋状部６２は、略方形状を呈し上端が略円弧状に湾曲した正面部６４と、正面部６４の下端から連設され、略長方形状の底面部６６と、底面部６６の背面側の端部から連設され、正面部６４と同大・同形状の背面部６８と、正面部６４と背面部６８の下側部分と底面部６６の右側面側の端部に連設された右側面部７２と、正面部６４と背面部６８の下側部分と底面部６６の左側面部側の端部に連設された左側面部７４と、正面部６４と背面部６８の上側部分と右側面部７２の上端と左側面部７４の上端に連設され湾曲して形成された上面部７０とを有していて、全体に袋状を呈している。背面部６８は、正面部６４に対して間隔を介して形成され、正面部６４に対して略平行となっている。上面部７０には、右側面部７２の上端から左側面部７４の上端にかけてファスナ７１が設けられ、このファスナ７１により上面部７０が開閉するようになっている。なお、右側面部７２と左側面部７４と上面部７０とで、「底面部の左側面側の辺部から右側面側の辺部にまで正面部と背面部の下辺を除く辺部に沿って形成された周面部」が形成される。
【００３８】
また、背面部６８には、係止補強ベルト８０に設けられた開口部８３に対応して開口部（図示せず）（第１開口部）が設けられている。つまり、背面部６８に形成された開口部は、開口部８３と略同大・同形状に形成され、背面視において一致するように形成されている。
【００３９】
また、係止補強ベルト８０は、全体に帯状を呈し、巻回状態を解いて広げた状態（図５の状態）では上下方向に伸びた帯状を呈しており、袋状部６２との固着部分の下端から伸びた領域の一方の面に、フックテープとループテープの一方が設けられ、また、袋状部６２との固着部分の上端から伸びた領域の他方の面に、フックテープとループテープの他方が設けられていて、フックテープとループテープの一方と他方を合わせることにより、係止補強ベルト８０が全体にループ状に形成される。
【００４０】
係止補強ベルト８０についてさらに詳しく説明すると、係止補強ベルト８０は、帯状部８２と帯状部８４とを有し、係止補強ベルト８０の巻回状態を解いて広げた状態では、帯状部８２の上端の領域である重ね合わせ部８２ａと帯状部８４の下端の領域である重ね合わせ領域８４ａとを重ねた状態で、袋状部６２の背面部６８に縫着して固着することにより形成されている。この帯状部８２と帯状部８４とは横方向に略同一の幅を有している。この係止補強ベルト８０は、係止部材２０に係止される帯状のベルト１００に対して略直角方向に設けられている。
【００４１】
帯状部８２は、該重ね合わせ部８２ａと、重ね合わせ部８２ａの下側に隣接する中間部８２ｂと、該中間部８２ｂの下側（先端側）に隣接する先端部８２ｃとを有し、また、帯状部８４は、該重ね合わせ部８４ａと重ね合わせ部８４ａの上側（先端側）に隣接する先端部８４ｂとを有していて、帯状部８２の中間部８２ｂと重ね合わせ部８２ａの領域（重ね合わせ部８４ａの領域でもある）とが袋状部６２の背面部６８に縫着して固着されている。
【００４２】
また、帯状部８２の先端部８２ｃの図５の状態における正面側には、フックテープとループテープの一方Ｆ１が設けられ、帯状部８４の先端部８４ｂの図５の状態における背面側には、フックテープとループテープの他方Ｆ２が設けられ、帯状部８２における先端部８２ｃを上方に折り返し、帯状部８４における先端部８４ｂを下方に折り返して、フックテープとループテープの一方Ｆ１と他方Ｆ２とを合わせることにより、係止補強ベルト８０が全体にループ状に閉じた状態に形成される。
【００４３】
また、帯状部８２の中間部８２ｂには、横方向に細長の開口部（第２開口部）８３が設けられ、ピンオンリール本体１２のケース１４が袋状部６２に収納された状態で、係止部材２０が袋状部６２の外部に突出するように構成されている。
【００４４】
なお、帯状部８４における先端部８４ｂが、「袋状部との固着部分の上端から伸びた上側部」に当たり、帯状部８２の先端部８２ｃが、「固着部分の下端から伸びた下側部」に当たる。
【００４５】
なお、上記の説明では、係止補強ベルト８０は、帯状部８２と帯状部８４とを有するとして説明したが、帯状部８２と帯状部８４とを１つの帯状部により形成してもよい。
【００４６】
上記構成のタモ流出防止具５の使用状態について説明する。タモ流出防止具５は、衣類等のベルト（例えば、ズボンのベルト）（帯状の被挟設部材）に装着して使用する。ベルトへの装着に当たっては、図９に示すように、ベルト１００に係止部材２０を係止させた後に、帯状部８２における先端部８２ｃを上方に折り返し、帯状部８４における先端部８４ｂを下方に折り返して、係止補強ベルト８０をベルト１００に巻き付け、フックテープとループテープの一方Ｆ１と他方Ｆ２とを合わせて係止補強ベルト８０をループ状に閉じた状態とすることにより、タモ流出防止具５をベルト１００に装着する。なお、係止部材２０をベルトに係止させるには、係止部材２０をベルト１００の下側から係止し、ケース本体１６の背面と係止部材２０の左右方向部２０ｅ及び一対の上下方向部２０ｄ間にベルト１００を配置させる。
【００４７】
タモ流出防止具５を使用しない場合には、接続部材４０と巻回ベルト５０は袋状部６２内に収納してファスナ７１を閉じた状態とし、タモ流出防止具５を使用する場合には、ファスナ７１を開けて、巻回ベルト５０及び接続部材４０を引き出し、図１０に示すように、巻回ベルト５０をタモ１１０の柄１１２に巻回してタモ１１０の柄１１２に装着する。すなわち、タモ１１０の柄１１２に巻回ベルト５０を巻回して巻回ベルト５０の先端側と基端側を止着することによりタモ１１０の柄１１２に巻回ベルト５０を装着する。
【００４８】
以上のように、本実施例のタモ流出防止具５においては、タモ流出防止具５を使用しない場合には、接続部材４０や巻回ベルト５０を袋状部６２内に収納できるので、タモ流出防止具５を使用しない場合に、接続部材４０や巻回ベルト５０がぶら下がった状態で邪魔になることがない。また、係止部材２０をベルト１００に係止して、さらに、係止補強ベルト８０によりベルトに巻き付けて装着するので、タモ流出防止具５がベルトから外れることがなく、水中においても容易に装着状態が外れることがない。また、タモ流出防止具５をベルトに装着する際には、係止部材２０をベルトに係止し、係止補強ベルト８０をループ状に閉じた状態とすることによりベルトに装着できるので、ベルトへの装着が容易である。
【符号の説明】
【００４９】
５  タモ流出防止具
１０  ピンオンリール
１２  ピンオンリール本体
１４  ケース
１６  ケース本体
１８ａ、１８ｂ  突設部
２０  係止部材
３０  リール
３２  リール本体
３４  ストッパ
４０  接続部材
５０  巻回ベルト
６０  ピンオンリール収納部
６２  袋状部
６４  正面部
６６  底面部
６８  背面部
７０  上面部
７２  右側面部
７４  左側面部
７１  ファスナ
８０  係止補強ベルト
【図１】
0003159174.tif 000003
【図２】
0003159174.tif 000004
【図３】
0003159174.tif 000005
【図４】
0003159174.tif 000006
【図５】
0003159174.tif 000007
【図６】
0003159174.tif 000008
【図７】
0003159174.tif 000009
【図８】
0003159174.tif 000010
【図９】
0003159174.tif 000011
【図１０】
0003159174.tif 000012
【図１１】
0003159174.tif 000013
【手続補正書】
【提出日】平成22年2月26日(2010.2.26)
【手続補正１】
【補正対象書類名】実用新案登録請求の範囲
【補正対象項目名】請求項４
【補正方法】変更
【補正の内容】
【請求項４】
上記被取付け具が、リールの先端に取り付けられた接続部材と、接続部材に取り付けられた帯状の巻回ベルトで、接続部材に接続された基端側と基端側と反対側の先端側とにタモの柄に巻回して装着するための第２着脱部材が設けられた巻回ベルトと、を有することを特徴とする請求項３に記載の釣り用具。
【手続補正２】
【補正対象書類名】実用新案登録請求の範囲
【補正対象項目名】請求項６
【補正方法】変更
【補正の内容】
【請求項６】
釣り用具であって、
リールと、リールを巻回して収納しリールを引き出すための穴部を有するケースと、該ケースの側面に取り付けられ該ケースとの間でベルト等の帯状の被挟設部材を挟設する係止部材で、ケースにおける係止部材が取り付けられた側面とは反対側に伸びる前後方向部と、該前後方向部から上方に伸びる上下方向部とを有し、係止部材が被挟設部材に対して下側から係止するように構成された係止部材と、を有するピンオンリールと、
ピンオンリールのリールの先端に取り付けられた接続部材と、
接続部材に取り付けられた帯状の巻回ベルトで、接続部材に接続された基端側と基端側と反対側の先端側とにタモの柄に巻回して装着するための第２着脱部材が設けられた巻回ベルトと、
ピンオンリールのケースを収納するとともに、該取付け具が収納可能な袋状部で、被取
付け具を取り出すための開閉可能な取出し口を有するとともに、係止部材を少なくとも一部を露出させるための第１開口部を側面に有する袋状部と、
袋状部の第１開口部が形成された側に固着された帯状のベルト状部材で、係止部材に係止される帯状の被挟設部材に対して略直角方向となるように袋状部に固着して設けられ、袋状部との固着部分の上端から伸びた上側部と該固着部分の下端から伸びた下側部とを有し、該上側部と下側部とに上側部と下側部とを着脱自在に固着するための着脱部材が設けられ、係止部材を少なくとも一部を露出させるための第２開口部で第１開口部に対応した位置に設けられた第２開口部を有するベルト状部材と、
を有し、
係止部材を帯状の被挟設部材に係止した後に、ベルト状部材の上側部と下側部とを着脱部材により固着することにより帯状の被挟設部材に取り付けることを特徴とする釣り用具。
【手続補正３】
【補正対象書類名】明細書
【補正対象項目名】００１５
【補正方法】変更
【補正の内容】
【００１５】
また、第４には、上記第３の構成において、上記被取付け具が、リールの先端に取り付けられた接続部材と、接続部材に取り付けられた帯状の巻回ベルトで、接続部材に接続された基端側と基端側と反対側の先端側とにタモの柄に巻回して装着するための第２着脱部材が設けられた巻回ベルトと、を有することを特徴とする。この巻回ベルトをタモの柄に装着することにより、釣り用具をタモの流出防止具として使用することができる。
【手続補正４】
【補正対象書類名】明細書
【補正対象項目名】００１７
【補正方法】変更
【補正の内容】
【００１７】
また、第６には、釣り用具であって、リールと、リールを巻回して収納しリールを引き出すための穴部を有するケースと、該ケースの側面に取り付けられ該ケースとの間でベルト等の帯状の被挟設部材を挟設する係止部材で、ケースにおける係止部材が取り付けられた側面とは反対側に伸びる前後方向部と、該前後方向部から上方に伸びる上下方向部とを有し、係止部材が被挟設部材に対して下側から係止するように構成された係止部材と、を有するピンオンリールと、ピンオンリールのリールの先端に取り付けられた接続部材と、接続部材に取り付けられた帯状の巻回ベルトで、接続部材に接続された基端側と基端側と反対側の先端側とにタモの柄に巻回して装着するための第２着脱部材が設けられた巻回ベルトと、ピンオンリールのケースを収納するとともに、該取付け具が収納可能な袋状部で、被取付け具を取り出すための開閉可能な取出し口を有するとともに、係止部材を少なくとも一部を露出させるための第１開口部を側面に有する袋状部と、袋状部の第１開口部が形成された側に固着された帯状のベルト状部材で、係止部材に係止される帯状の被挟設部材に対して略直角方向となるように袋状部に固着して設けられ、袋状部との固着部分の上端から伸びた上側部と該固着部分の下端から伸びた下側部とを有し、該上側部と下側部とに上側部と下側部とを着脱自在に固着するための着脱部材が設けられ、係止部材を少なくとも一部を露出させるための第２開口部で第１開口部に対応した位置に設けられた第２開口部を有するベルト状部材と、を有し、係止部材を帯状の被挟設部材に係止した後に、ベルト状部材の上側部と下側部とを着脱部材により固着することにより帯状の被挟設部材に取り付けることを特徴とする。